(57)【要約】【課題】光軸の調整を容易に行うことができるようにする。【解決手段】まず、鏡筒１０内に収容されるレンズホルダ３０，４０にレンズ保持枠６０，７０を配置する。次に、レンズ保持枠６０，７０の周囲に圧電素子８０Ａ，８０Ｂを配置する。レンズホルダ３０、４０を含む総ての光学部材を鏡筒１０内に収容した後、圧電素子８０Ａ，８０Ｂを駆動してレンズ保持枠６０，７０の位置を調整する。【選択図】図１
2007256703.tif 000002
【特許請求の範囲】
【請求項１】
鏡筒内に収容されるレンズホルダに光学部材を配置する第１工程と、
この第１工程の後、前記光学部材の周囲に、与えられた物理量に基づいて前記光学部材を移動させる変位素子を配置する第２工程と、
この第２工程の後、前記変位素子を駆動して前記光学部材の位置を調整する第３工程と
を備えていることを特徴とする調整方法。
【請求項２】
前記光学部材の移動方向は前記鏡筒の光軸に直交する方向であることを特徴とする請求項１記載の調整方法。
【請求項３】
前記第３工程の前、前記鏡筒内に他の光学部材が収容されることを特徴とする請求項１又は２記載の調整方法。
【請求項４】
前記第３工程の後、前記光学部材を接着剤を用いて前記レンズホルダに固定することを特徴とする請求項１〜３のいずれか１項記載の調整方法。
【請求項５】
請求項１〜４のいずれか１項記載の調整方法を用いて製造されることを特徴とする鏡筒。
【請求項６】
請求項５記載の鏡筒を備えていることを特徴とするカメラ。
【発明の詳細な説明】
【技術分野】
【０００１】
この発明は調整方法、この調整方法を用いて製造された鏡筒及びこの鏡筒を備えているカメラに関する。
【背景技術】
【０００２】
カメラ用の交換レンズでは、設計仕様に基づいた所定の光学性能を得るために光軸の調整が必要である。交換レンズを構成する複数の光学素子の相対的な位置ずれは光学素子や光学ユニット（複数の光学素子をまとめたもの）を光軸と直交する方向へ動かすことによって調整される。光軸の調整は交換レンズのマウント部に光学測定器を取り付け、光学測定器のモニタで光学性能を確認しながら行われる。
【特許文献１】特開平７−７２３６６号公報
【発明の開示】
【発明が解決しようとする課題】
【０００３】
しかし、交換レンズの周囲にはズーム環やピント環等が光軸を中心として鏡筒内部に配置されるているので、光学測定器を交換レンズのマウント部に取り付けた状態でレンズ等の光学素子を外部から動かして光軸を調整することは難しい。光軸のずれが検出された場合、一旦光学測定器を交換レンズのマウント部から取り外して光学素子を所定方向へ動かした後、再び光学測定器を交換レンズのマウント部に取り付け、モニタで光学性能を確認する。この作業を繰り返すことによって光軸の調整が行われる。したがって、交換レンズの光軸の調整は手間のかかる煩雑なものであった。
【０００４】
この発明はこのような事情に鑑みてなされたもので、その課題は光軸の調整を容易に行うことができる調整方法、この調整方法を用いて製造された鏡筒及びこの鏡筒を備えているカメラを提供することである。
【課題を解決するための手段】
【０００５】
上記課題を解決するため請求項１記載の発明は、鏡筒内に収容されるレンズホルダに光学部材を配置する第１工程と、この第１工程の後、前記光学部材の周囲に、与えられた物理量に基づいて前記光学部材を移動させる変位素子を配置する第２工程と、この第２工程の後、前記変位素子を駆動して前記光学部材の位置を調整する第３工程とを備えていることを特徴とする。
【０００６】
請求項２記載の発明は、請求項１記載の調整方法において、前記光学部材の移動方向は前記鏡筒の光軸に直交する方向であることを特徴とする。
【０００７】
請求項３記載の発明は、請求項１又は２記載の調整方法において、前記第３工程の前、前記鏡筒内に他の光学部材が収容されることを特徴とする。
【０００８】
請求項４記載の発明は、請求項１〜３のいずれか１項記載の調整方法において、前記第３工程の後、前記光学部材を接着剤を用いて前記レンズホルダに固定することを特徴とする。
【０００９】
請求項５記載の発明は、請求項１〜４のいずれか１項記載の調整方法を用いて製造されることを特徴とする鏡筒。
【００１０】
請求項６記載の発明は、請求項５記載の鏡筒を備えていることを特徴とするカメラ。
【発明の効果】
【００１１】
この発明によれば、光軸の調整を容易に行うことができる。
【発明を実施するための最良の形態】
【００１２】
以下、この発明の実施の形態を図面に基づいて説明する。
【００１３】
図１（ａ）はこの発明の一実施形態に係る交換レンズの光軸調整前の断面を示す概念図、図１（ｂ）は図１（ａ）の１ｂ−１ｂ線に沿う断面を示す概念図、図２（ａ）はこの発明の一実施形態に係る交換レンズの光軸調整後の断面を示す概念図、図２（ｂ）は図２（ａ）の２ｂ−２ｂ線に沿う断面を示す概念図である。
【００１４】
この交換レンズは、フォーカス環１５とレンズホルダ２０,３０,４０,５０とレンズ保持枠６０,７０とカム環３５と固定筒４５と圧電素子（変位素子）８０Ａ，８０Ｂと駆動装置９０とを備えている。
【００１５】
フォーカス環１５は第１レンズホルダ２０及び第２レンズホルダ３０を保持する。
【００１６】
第１レンズホルダ２０にはレンズ２０ａ，２０ｂが保持されている。
【００１７】
第２レンズホルダ３０内にはレンズ保持枠６０が収容されている。レンズ保持枠６０にはレンズ６０ａ，６０ｂが保持されている。第２レンズホルダ３０の外周面には突起６１が設けられている。突起６１はフォーカス環１５の内周面に設けられたカム溝２６に係合している。第２レンズホルダ３０はガイド部材５によって光軸回りの回転が規制されている。レンズ保持枠６０とレンズ６０ａ，６０ｂとで光学部材が構成される。
【００１８】
レンズ保持枠６０は弾性部材６５ａを有する押え部材６５によって第２レンズホルダ３０に保持されている。
【００１９】
第２レンズホルダ３０の内周面には４つの圧電素子８０Ａが配置されている（圧電素子８０Ａとレンズ保持枠６０の外周面とは１０数μｍの隙間を介して対向している）。４つの圧電素子８０Ａは９０°の間隔をおいて配置されている。圧電素子８０Ａは鏡筒１０の外部に設けられた駆動装置９０に電源ライン９１を介して接続されている。圧電素子８０Ａに印可される電圧が変化すると、圧電素子８０Ａの長さ（第２レンズホルダ３０の半径方向の長さ）が変化する。
【００２０】
カム環３５には図示しないカム溝とピンとを介して固定筒４５が嵌合している。固定筒４５にはガイド部５が固定されている。ガイド部５にはそれぞれ図示しないカム溝とピンとを介して第３レンズホルダ４０と第４レンズホルダ５０とが嵌合している。第３レンズホルダ４０と第４レンズホルダ５０とはガイド部材５によって光軸回りの回転が規制されている。
【００２１】
第３レンズホルダ４０内にはレンズ保持枠７０が収容されている。レンズ保持枠７０にはレンズ７０ａ，７０ｂが保持されている。レンズ保持枠７０とレンズ７０ａ，７０ｂとで光学部材が構成される。レンズ保持枠７０は弾性部材７５ａを有する押え部材７５によって第３レンズホルダ４０に保持されている。
【００２２】
第３レンズホルダ４０の内周面には４つの圧電素子８０Ｂが配置されている（圧電素子８０Ｂとレンズ保持枠６０の外周面とは１０数μｍの隙間を介して対向している）。４つの圧電素子８０Ｂは９０°の間隔をおいて配置されている（図１（ｂ）参照）。圧電素子８０Ｂには鏡筒１０の外部に設けられた駆動装置９０が電源ライン９１を介して接続され、圧電素子８０Ｂに印可される電圧が変化すると、圧電素子８０Ｂの長さ（第３レンズホルダ４０の半径方向の長さ）が変化する。
【００２３】
第４レンズホルダ５０にはレンズ５０ａ，５０ｂが保持されている。
【００２４】
フォーカス環１５の外周面及びカム環３５の外周面にはズーム環１１が装着されている。ズーム環１１を光軸Ｌ回りに回転させることによってズーミングが行われ、フォーカス環１５を光軸Ｌ回りに回転させることによってフォーカシングが行われる。
【００２５】
なお、鏡筒１０にはカメラボディ側のレンズ取付部（図示せず）に装着させるマウント部１２が設けられている。マウント部１２に光軸調整を行うためのモニタを備えた光学測定器（図示せず）が装着される。
【００２６】
次に、この交換レンズの動作を説明する。
【００２７】
ズーミングを行うにはズーム環１１を光軸Ｌ回りに回転させる。
【００２８】
ズーム環１１を望遠側へ回すと、ズーム環１１と一体にカム環３５が光軸Ｌ回りに回転する。カム環３５が光軸Ｌ回りに回転すると、第３レンズホルダ４０及び第４レンズホルダ５０が左方向へ移動するとともに、フォーカス環１５、第１レンズホルダ２０及び第２レンズホルダ３０が図１、２の左方向へ移動する。
【００２９】
また、ズーム環１１をワイド側へ回すと、第３レンズホルダ４０及び第４レンズホルダ５０が右方向へ移動するとともに、フォーカス環１５、第１レンズホルダ２０及び第２レンズホルダ３０が右方向へ移動する。
【００３０】
また、フォーカスを行うには、フォーカス環１５を光軸Ｌ回りに回転させる。
【００３１】
なお、フォーカス環１５を∞側へ回すと第２レンズホルダ３０は右方向へ移動し、至近側へ回すと第２レンズホルダ３０は左方向へ移動する。
【００３２】
上記交換レンズの光軸の調整は次のように行われる。
【００３３】
まず、鏡筒１０内に収容されるレンズホルダ３０にレンズ保持枠６０を配置する。また、鏡筒１０内に収容されるレンズホルダ４０にレンズ保持枠７０を配置する（第１工程）。
【００３４】
次に、レンズホルダ３０の内周面に４つの圧電素子８０Ａをレンズ保持枠６０の外周面と対向するように配置する。また、レンズホルダ４０の内周面に４つの圧電素子８０Ｂをレンズ保持枠７０の外周面と対向するように配置する（第２工程）。
【００３５】
その後、レンズホルダ２０,３０，４０,５０を鏡筒１０に組み込む（第３工程）。
【００３６】
次に、鏡筒１０のマウント部１２に光学測定器を装着する。
【００３７】
その後、光学測定器のモニタで光学性能を確認しながら駆動装置９０を駆動してレンズ保持枠６０，７０を例えば矢印ａで示す方向へ動かし、レンズ６０ａ，６０ｂ，７０ａ，７０ｂの位置を調整する（第４工程）。
【００３８】
このとき、ズーミング時に光軸がずれないようにレンズ保持枠６０，７０の位置は例えば次のように調整される。
【００３９】
まず、ズーム環１１を操作して低倍に設定する。各圧電素子８０Ａ，８０Ｂに印加する電圧を制御して結像面の光軸ずれを調整する。
【００４０】
次に、ズーム環１１を操作して高倍に設定する。各圧電素子８０Ａ，８０Ｂに印加する電圧を制御して結像面の光軸ずれを調整する。
【００４１】
その後、ズーム環１１を操作して再び低倍に設定し、結像面の光軸がずれていない否かを確認し、光軸Ｌがずれているときには再度結像面の光軸ずれを調整する。
【００４２】
最後に、鏡筒１０のマウント部１２から光学測定器を外し、接着剤（図示せず）を用いてレンズ保持枠６０，７０をレンズホルダ３０，４０に固定する。
【００４３】
この実施形態によれば、総ての光学部材を鏡筒１０に組み込んだ後に、光学測定器のモニタ上で光学性能を確認しながら外部から光軸調整を行うことができるので、光軸Ｌの調整を容易に行うことができる。
【００４４】
なお、圧電素子８０Ａ，８０Ｂの数は４つに限られるものではなく、３つ以上であればよい。
【００４５】
また、上記実施形態においては、４つの圧電素子８０Ａ，８０Ｂがそれぞれ対向する位置に設けられているが、対向する圧電素子８０Ａ，８０Ｂの一方を例えば圧縮ばねとしてもよい。このようにすると、圧電素子８０Ａ，８０Ｂの数を減らすことができるので、製造コストの低減を図ることができるとともに、圧電素子８０Ａ，８０Ｂに対する駆動制御を容易なものとすることができる。
【００４６】
また、上記実施形態においては、変位素子として圧電素子８０Ａ，８０Ｂを用いたが、これに代えて、電歪素子、磁歪素子、熱歪素子等を用いることもできる。
【００４７】
更に、上記実施形態では、レンズホルダ３０の内周面に４つの圧電素子８０Ａを配置した後、レンズホルダ３０を鏡筒１０に組み込んだが、レンズホルダ３０を鏡筒１０に組み込んだ後、レンズホルダ３０の内周面に４つの圧電素子８０Ａを配置してもよい。
【図面の簡単な説明】
【００４８】
【図１】図１（ａ）はこの発明の一実施形態に係る交換レンズの光軸調整前の断面を示す概念図、図１（ｂ）は図１（ａ）の１ｂ−１ｂ線に沿う断面を示す概念図である。
【図２】図２（ａ）はこの発明の一実施形態に係る交換レンズの光軸調整後の断面を示す概念図、図２（ｂ）は図２（ａ）の２ｂ−２ｂ線に沿う断面を示す概念図である。
【符号の説明】
【００４９】
１０：鏡筒、２０〜５０：レンズホルダ、６０，７０：レンズ保持枠、２０ａ，２０ｂ，５０ａ，５０ｂ，６０ａ，６０ｂ，７０ａ，７０ｂ：レンズ、８０Ａ，８０Ｂ：圧電素子（変位素子）、Ｌ：光軸。
【図１】
2007256703.tif 000003
【図２】
2007256703.tif 000004